(57)【要約】【課題】  配管が容易で排水状態の確認が容易な空調機のドレーン接続用ホースの提供。【解決手段】  空調機ドレーン口ａと排水主管５とを接続するための接続ホース１０で、表面にスパイラル状の隆起を有する透明フレキシブルホース１１で、該ホースの空調機本体ドレーン管への接続側に軟質プラスチック等の軟質材からなる継手パイプ２０を備え、排水主管接続側には該主管に差込み可能な外径を有し先端部に差込代確認用マーカー３４を設けた継手パイプ３０を備えたことを特徴とする空調機ドレーン接続用フレキシブルホース。【選択図】  図５
2007033013.tif 000002
【特許請求の範囲】
【請求項１】
空調機ドレーン口と排水主管とを接続するための接続ホースで、表面にスパイラル状の隆起を有する透明フレキシブルホースで、該ホースの空調機本体ドレーン管への接続側に軟質プラスチック等の軟質材からなる継手パイプを備え、排水主管接続側には該主管に差込み可能な外径を有し先端部に差込代確認用マーカーを設けた継手パイプを備えたことを特徴とする空調機ドレーン接続用フレキシブルホース。
【請求項２】
透明フレキシブルホースが、内面が平滑面で、表面のスパイラル状の隆起内に線状の硬質ポリ塩化ビニル層を有する軟質ポリ塩化ビニル製のホースである請求項１記載の接続用フレキシブルホース。
【請求項３】
請求項１に記載の接続用フレキシブルホースを用いた空調機本体ドレーン管と排水主管との接続方法。
【発明の詳細な説明】
【技術分野】
【０００１】
本発明は、ビル等の建物の天井内に設置される空調機の凝縮水の排水に使用されるドレーン接続用ホースに関するものである。
【背景技術】
【０００２】
今日、建物には種々の形で空調機が設置されており、空調機に生じる凝縮水も種々の方法で排出されている。
ビルに設けられる空調機の凝縮水の排出方法としては、例えば特許文献１に示すように、天井内に設けられた空調機の真下やすぐ近くの下方に排水箇所がある場合には、空調機から直接自然力による流下方式で排水できるが、排水箇所が例えば部屋の隅のように遠い場合には天井裏に沿って排水主管を配置しなければならず適当な傾斜が得られない場合もある。
【特許文献１】特開平５−１０６８５８号公報
【発明の開示】
【発明が解決しようとする課題】
【０００３】
オフィスビルのように大きな部屋では、一つの部屋の天井内にいくつもの空調機が設置されており、これらの空調機の凝縮水を部屋の片隅の排水立管にまで流すには排水主管を適当な傾斜を持たせて配管する必要がある。また、天井内には排水主管のほかに電気器具やそれらのための配線等があるため、これらを避けて配管することも必要である。
凝縮水は通常空調機内の底部に近い位置に集められるため、排出は空調機内のポンプによって所要の高さにまで押し上げて排水主管に流し込むようにしている。
【０００４】
空調機のドレーン口と排水主管とを結ぶ接続は、従来は図６に示すように金属又はプラスチック製の硬質のパイプを用いていた。しかしながら、このような方法では、空調機Ａの本体ドレーン管ａに接続するための横方向のパイプｂ１と適当な高さを保つため
の上下方向のパイプｂ２と更に横方向のパイプｂ３と排水主管５に接続するための上下方向のパイプｂ４が必要であり、これらをエルボｃで接続するため、予め所要の寸法のパイプを用意する必要があり、施工には多くの手間を要していた。この従来の方式では、何らかの都合で配管位置を変える場合には新しくパイプを用意する必要があり、また、空調機の点検等で接続パイプを外す作業も大変であり、更にはパイプ内が見えないため排水状態も確認できないなど種々の問題点を有していた。
【課題を解決するための手段】
【０００５】
本発明は上記課題を解決するためのもので、空調機ドレーン口と排水主管とを接続するための接続ホースで、表面にスパイラル状の隆起を有する透明フレキシブルホース（透明フレキホース）で、該ホースの空調機本体ドレーン管への接続側に軟質プラスチック等の軟質材からなる継手パイプを備え、排水主管接続側には該主管に差込み可能な外径を有し先端部に差込代確認用マーカーを設けた継手パイプを備えたことを特徴とする空調機ドレーン接続用フレキシブルホースに関するものである。
【発明を実施するための最良の形態】
【０００６】
本発明の空調機ドレーン接続用フレキシブルホース（以下、接続用ホースという）の本体ホースである表面にスパイラル状の隆起を有する透明フレキシブルホースは、図１及び図２に示すように、ポリ塩化ビニル（以下、塩ビという）製であって表面はスパイラル状の隆起１２を有するが内面は平滑面である透明なフレキシブルホース（主体ホース）１１が好ましい。隆起部内には硬質塩ビ１３が線状に配されており、他の部分は軟質塩ビからなるものが柔軟性と強度の点で好ましい。しかしながら、本発明における本体ホースは塩ビ製に限定されることなく、プラスチック製であって前記塩ビホースと同等の性能を有するものであれば使用でき、表面のスパイラル状の隆起や隆起部内の線状の硬質プラスチックは必ずしも必要でない。
【０００７】
主体ホース１１の空調機本体ドレーン管ａへの接続用の軟質材からなる継手パイプ２０は、図１に示すように、本体ドレーン管ａを覆って装着できる大きさの内径のパイプ部２１と主体ホース１１内に挿入嵌合される挿入パイプ部２２と主体ホース１１の端部外周を覆う被覆部２３を有するもので、ゴムや軟質プラスチックからなるものが用いられる。継手パイプ２０は空調機本体ドレーン管ａの先端部を覆うように装着され、外周をホースバンド等の適当な止め具４で固定する。
【０００８】
排水主管接続側には、前記継手２０と同様な構造で該主管５に差込み可能な外径を有する接続パイプ部３１と主体ホース１１内に挿入嵌合される挿入パイプ部３２と主体ホース１１の端部外周を覆う被覆部３３を有する継手３０で、接続パイプ部３１の先端部に差込代確認用マーカー３４を設けたものである。材質としては、排水主管５に押圧挿入して容易に外れないようにするため、半硬質の塩ビ製などが好ましい。
差込代確認用マーカーは図１に示すような単なる線でなく、矢印や接続パイプ部３１の先端部を別の色に着色するとかしても良い。着色は、蛍光塗料のように暗所で容易に確認することができるものとするとより有利である。確認用マーカー３４を設けることによって差込み不良を避けることができる。
【実施例】
【０００９】
次に本発明の実施例を図面にしたがって説明するが、これらに限られるものではない。なお、上記と同一部材には同一符号を付して説明を略した。
図３は、本発明の接続用ホース１０を従来の金属パイプ又は塩ビ製パイプの配管と同様な形状で配管した例である。主体ホース１１は、上階の床の下面からの金属製の吊り具や天井Bからの適当な支持具等で適当な高さに保持する。なお、図中、Ａは空調機、ａは空調機本体ドレーン管、ｄは給排気口、Ｂは天井、５は排水主管、５１は排水主管の接続口を示す。
【００１０】
図４は、接続用ホース１０を上方に上げることなく直接排水主管５に接続した例である。本発明の接続用ホース１０は、図４に仮想線で示すように主体ホース１１の部分を保温材７で被覆しても良い。保温材はこの種の分野で通常使用されるガラス繊維や不織布又は発泡プラスチック製の適当な長さの筒体などが使用でき、筒体は長さ方向に割れ目の入ったものや２分割できるものであれば着脱が容易で、点検時に容易に取り外して透明主体ホース１１内の水の流れ具合を点検できる。本発明の接続ホースは表面にスパイラル状の隆起部があるため装着箇所から保温材がずれることがないので、任意の形状とした接続ホースに装着できる。
図５は接続用ホース１０の柔軟性を利用して任意の形状に配管した例の一例で、上階の床Ｃの下面からの金属製の吊り具６等で適当な高さに吊る。
本発明の接続用ホースは柔軟性があるため、配管に際して天井内の障害物を容易に避けて配管できるほか、任意の高さの位置に凝縮水を上げることができるため排水主管の勾配も容易に確保することができスムーズな排水が可能となる。
【産業上の利用可能性】
【００１１】
本発明の空調機ドレーン接続用フレキシブルホースは透明なフレキシブルホース（透明フレキホース）であるため、以下に示す種々の利点を有する。
・排水配管の接続箇所が少ないため、漏水確率が下がる。
・空調機内蔵ドレンポンプの運転状態を確認することができる。
・差込代確認用マーカー３４があるため排水主管５への接続部の差込確認ができる。
・空調機付属配管接続部は、軟質製透明継手２０ゆえ差込管理ができる。
・空調機内蔵ドレンポンプの揚程に合う高さに任意に調整可能である。
・透明ホースゆえドレン配管１０内の汚れの確認ができる。
・空調機付属の排水配管ａのサイズに合わせることができる。
・ドレン配管材１０が可撓性があるため、水平から垂直まで任意の位置に配管できる。
・フレキホース１０は補強入りとすることによって潰れが防止できる。
・空調機の据え付け調整がフレキホースゆえ容易である。
・ドレン配管施工後でもフレキホースゆえ空調機の上下、左右の据付調整が可能である。
・空調ドレンホースは軟質フレキホースゆえ空調機の振動を緩和できる。
・空調機付属ドレン配管部の接続継手が、軟質製品ゆえ空調機の交換又は修理時に容易に取り外しが可能である。
・フレキホースゆえ施工性が良い。
・フレキホースゆえ可撓性があるため、天井内工事の際の障害物に対して、任意の高さに保つことが可能である。
上記のことから、本発明は天井内の配管に限らず同様な箇所での配管に応用できる。
【図面の簡単な説明】
【００１２】
【図１】本発明の接続用ホースの一例を示す一部破断側面図である。
【図２】主体ホースを示す側面図である。
【図３】本発明の一実施例を示す側面図である。
【図４】本発明の他の実施例を示す側面図である。
【図５】本発明の別の実施例を示す側面図である。
【図６】従来の配管例を示す側面図である。
【符号の説明】
【００１３】
１０  接続用ホース
１１  主体ホース
２０  継手
３０  接続継手
５  排水主管
７  保温材
Ａ  空調機
ａ  空調機本体ドレーン管
【図１】
2007033013.tif 000003
【図２】
2007033013.tif 000004
【図３】
2007033013.tif 000005
【図４】
2007033013.tif 000006
【図５】
2007033013.tif 000007
【図６】
2007033013.tif 000008